(57)【要約】【課題】圧縮機用の電源線接続構造において、圧縮機の温度の異常な上昇を確実に検知可能な構造を備えたもの、圧縮機に温度スイッチを低コストで容易に取り付け可能な構造を備えたもの、小型な圧縮機にも温度スイッチを容易に設置可能な構造を備えたものを提供する。【解決手段】冷媒回路１０等に用いられる圧縮機２０の電源端子３１に接続端子３３を接続する圧縮機用の電源線接続構造３０は、電源線３２の端部に設けられた接続端子３３であって、電源端子３１に接続可能な接続端子３３を備え、接続端子３３は、設定温度を超えた場合に電源線３２から接続端子３３への通電を遮断する温度スイッチ３４と一体的に構成され、電源端子３１は三相モータ駆動用の３端子で構成されると共に、接続端子３３は電源端子３１に対応する３端子で構成され、接続端子３３の３端子のうちの少なくとも２つの端子が温度スイッチ３４によって通電が遮断されるように構成されている。【選択図】図２
2014107209.tif 000002
【特許請求の範囲】
【請求項１】
冷媒回路等に用いられる圧縮機の電源端子に電源端子を接続する圧縮機用の電源線接続構造において、
前記電源線の端部に設けられた接続端子であって、前記電源端子に接続可能な接続端子を備え、
前記接続端子は、設定温度を超えた場合に前記電源線から前記接続端子への通電を遮断する温度スイッチと一体的に構成されていることを特徴とする圧縮機用の電源線接続構造。
【請求項２】
前記電源端子は三相モータ駆動用の３端子で構成されると共に、前記接続端子は前記電源端子に対応する３端子で構成され、
前記接続端子の３端子のうちの少なくとも２つの端子が前記温度スイッチによって通電が遮断されるように構成されたことを特徴とする請求項１に記載の圧縮機用の電源線接続構造。
【請求項３】
前記接続端子の３端子のうちの少なくとも２つの端子と前記温度スイッチとが一体的に構成されていることを特徴とする請求項２に記載の圧縮機用の電源線接続構造。
【発明の詳細な説明】
【技術分野】
【０００１】
本発明は圧縮機用の電源線接続構造に関し、特に圧縮機の温度が異常に上昇した場合に電源線から圧縮機への電源供給が遮断されるものに関する。
【背景技術】
【０００２】
従来から、ヒートポンプ給湯装置が一般に広く普及している。このヒートポンプ給湯装置は、湯水を貯留する貯湯タンクと、冷媒回路を有するヒートポンプ式熱源機とを備え、夜間割引の安価な電力を利用して、貯湯タンク内の湯水を循環させてヒートポンプ式熱源機で加熱して、その加熱された湯水を貯湯タンク内に貯留しておき、蛇口や風呂等の所望の給湯先に給湯するものである。
【０００３】
上記のヒートポンプ式熱源機の冷媒回路は、圧縮機、凝縮器、膨張器、蒸発熱交換器が配管を介して接続されることで構成されている。給湯加熱運転は、冷媒回路に封入された冷媒を利用して行われる。この給湯加熱運転では、圧縮機と蒸発熱交換器用の送風ファンが駆動され、凝縮器により冷媒と湯水との間で熱交換が行われて湯水が加熱される。
【０００４】
ところで、圧縮機は、冷媒を圧縮する際に高温になり易い構造であるので、圧縮機には、一般的に安全装置としてサーマルプロテクタ（温度スイッチ、ハイリミットスイッチ等）が取り付けられている。この種のサーマルプロテクタは、圧縮機の異常過熱時に検知信号を制御部に送信し、この制御部により圧縮機への電源を供給する回路を遮断して、圧縮機の運転を停止することができる。サーマルプロテクタの構造としては、例えば、以下の特許文献１，２のような構造が実用に供されている。
【０００５】
特許文献１には、２要素式サーマルプロテクタが開示されている。即ち、このサーマルプロテクタは、圧縮機のモータと電源との間に接続され且つ皿形バイメタルからなる主プロテクタ、２つの発熱要素等を備え、これら部材がケース部材に収納されて構成されている。このサーマルプロテクタは、ケース部材を圧縮機の外周部に取り付け、圧縮機への通電電流が異常になった場合又は圧縮機の温度が異常になった場合に、主プロテクタが作動してモータへの電源供給を遮断する。また、特許文献２には、インサート成形された構造のサーマルプロテクタが開示されている。
【先行技術文献】
【特許文献】
【０００６】
【特許文献１】特開平６−６８７５９号公報
【特許文献２】特開２００３−２９７２０４号公報
【発明の概要】
【発明が解決しようとする課題】
【０００７】
特許文献１，２のサーマルプロテクタの構造では、圧縮機の表面温度を検知する為に、圧縮機の外周部に予めサーマルプロテクタ用の取付座を設け、この取付座に対してサーマルプロテクタをブラケット等で押し付けて密着状に取り付ける必要がある。しかし、サーマルプロテクタが取付座から少しでも浮いてしまうと、圧縮機の表面温度を検知することができずにサーマルプロテクタが作動しないという問題がある。
【０００８】
また、サーマルプロテクタを小型な圧縮機に取り付ける場合、専用の取付座を圧縮機の外周部に設けるのは困難であるので、小型な圧縮機にはサーマルプロテクタを取り付け難いという問題がある。さらに、サーマルプロテクタによる圧縮機の異常温度の検知信号を制御部に送信する為に、サーマルプロテクタと制御部とを接続する専用の信号線が必要となる場合があり、結果的に取り付け工数が掛かりコスト高となってしまう虞がある。
【０００９】
本発明の目的は、圧縮機用の電源線接続構造において、圧縮機の温度の異常な上昇を確実に検知可能な構造を備えたもの、圧縮機に温度スイッチを低コストで且つ容易に取り付け可能な構造を備えたもの、小型な圧縮機にも温度スイッチを容易に取り付け可能な構造を備えたもの、等を提供することである。
【課題を解決するための手段】
【００１０】
請求項１の圧縮機用の電源線接続構造は、冷媒回路等に用いられる圧縮機の電源端子に電源線を接続する圧縮機用の電源線接続構造において、前記電源線の端部に設けられた接続端子であって、前記電源端子に接続可能な接続端子を備え、前記接続端子は、設定温度を超えた場合に前記電源線から前記接続端子への通電を遮断する温度スイッチと一体的に構成されていることを特徴している。
【００１１】
請求項２の圧縮機用の電源線接続構造は、請求項１の発明において、前記電源端子は三相モータ駆動用の３端子で構成されると共に、前記接続端子は前記電源端子に対応する３端子で構成され、前記接続端子の３端子のうちの少なくとも２つの端子が前記温度スイッチによって通電が遮断されるように構成されたことを特徴している。
【００１２】
請求項３の圧縮機用の電源線接続構造は、請求項２の発明において、前記接続端子の３端子のうちの少なくとも２つの端子と前記温度スイッチとが一体的に構成されていることを特徴としている。
【発明の効果】
【００１３】
請求項１の発明によれば、圧縮機用の電源線接続構造は、電源線の端部に設けられた接続端子であって、電源端子に接続可能な接続端子を備え、接続端子は、設定温度を超えた場合に電源線から接続端子への通電を遮断する温度スイッチと一体的に構成されているので、圧縮機の温度が異常に上昇した場合、この異常に上昇した温度が、接続端子を介して温度スイッチに伝熱されて温度スイッチが確実に作動することで、電源線から接続端子への通電を遮断することができ、故に、圧縮機の温度が異常に上昇した場合には圧縮機の運転を停止することができる。
【００１４】
従って、電源線の端部の接続端子を電源端子に接続するだけで、圧縮機に温度スイッチを容易に取り付けることができ、また、接続端子に一体的に温度スイッチを設けることで、圧縮機の異常な温度上昇を確実に検知することができる。温度スイッチを圧縮機の外周部に取り付ける作業を必要としないので、従来と比較して圧縮機の組み付け作業の工数が減少する上、圧縮機に温度スイッチ専用の取付座を設ける必要がないので、低コスト化を図ることができると共に小型な圧縮機にも対応することができる。
【００１５】
請求項２の発明によれば、電源端子は三相モータ駆動用の３端子で構成されると共に、接続端子は電源端子に対応する３端子で構成され、接続端子の３端子のうちの少なくとも２つの端子が温度スイッチによって通電が遮断されるように構成されたので、圧縮機の温度が異常に上昇した場合には、電源端子の３端子のうちの２端子への電源供給が遮断され、故に、圧縮機の三相モータを確実に停止することができる。
【００１６】
請求項３の発明によれば、接続端子の３端子のうちの少なくとも２つの端子と温度スイッチとが一体的に構成されているので、２つの端子を一度の取付作業で対応する電源端子の３端子のうちの２つの端子に容易に取り付けることができる。
【図面の簡単な説明】
【００１７】
【図１】本発明の実施例１に係るヒートポンプ給湯装置の概略構成図である。
【図２】圧縮機の上部斜視図である。
【図３】接続端子と温度センサと電源線の平面図である。
【図４】接続端子と温度センサ（非作動状態）と電源線の断面図である。
【図５】接続端子と温度センサ（作動状態）と電源線の断面図である。
【図６】実施例２に係る接続端子と温度センサと電源線の平面図である。
【図７】接続端子と温度センサ（非作動状態）と電源線の断面図である。
【図８】接続端子と温度センサ（作動状態）と電源線の断面図である。
【発明を実施するための形態】
【００１８】
以下、本発明を実施するための形態について実施例に基づいて説明する。
【実施例１】
【００１９】
先ず、本発明に係る圧縮機２０が用いられるヒートポンプ給湯装置１の全体構成について説明する。
図１に示すように、ヒートポンプ給湯装置１は、湯水を貯留する大容量の貯湯タンク５を備えた貯湯タンクユニット２、冷媒回路１０を有するヒートポンプ式熱源機３、貯湯タンクユニット２とヒートポンプ式熱源機３との間に湯水を循環させる循環用配管９ａ，９ｂ等から構成されている。
【００２０】
図１に示すように、貯湯タンクユニット２は、縦長筒状の外周面を有する貯湯タンク５、各種の配管６，７，９ａ，９ｂ、主制御ユニット１１、外装ケース１４等を備えている。貯湯タンク５は、ヒートポンプ式熱源機３で加熱された高温の湯水（例えば、８０〜９０℃）を貯留するものである。
【００２１】
貯湯タンク５の下端部には、給水配管６と循環用配管９ａとが接続されている。給水配管６には、貯湯タンク５へ水道水を供給する為の開閉弁１５が設けられている。貯湯タンク５の上端部には、循環用配管９ｂと出湯配管７とが接続され、循環用配管９ｂから戻された高温の湯水を貯湯タンク５内に貯留し、給湯時には貯湯タンク５内の高温の湯水を出湯配管７に供給することができる。
【００２２】
貯湯タンク５には、複数の温度センサ５ａ〜５ｄが高さ方向所定間隔おきの位置に配置され、温度センサ５ａ〜５ｄの温度検出信号が主制御ユニット１１に供給される。外装ケース１４は、薄鋼板製の箱状に形成され、主制御ユニット１１、貯湯タンク５、配管類６，７、循環用配管９ａ，９ｂの大部分、液送ポンプ１６、開閉弁１５、混合弁２７、複数の温度センサ２６ａ〜２６ｄ等を収容している。
【００２３】
次に、ヒートポンプ式熱源機３について説明する。
図１に示すように、ヒートポンプ式熱源機３は、蒸発熱交換器としての外気熱吸収用熱交換器１８と、圧縮機２０と、凝縮器としての湯水加熱用熱交換器２１と、高圧の冷媒を急膨張させて温度と圧力を下げる膨張弁２２とを有し、これら機器１８，２０，２１，２２が配管２３を介して接続され冷媒回路１０を構成し、この冷媒回路１０に収容された冷媒を利用して給湯加熱運転を行う。
【００２４】
ヒートポンプ式熱源機３は、さらに送風モータ１９ａで駆動される蒸発熱交換器用の送風ファン１９と、主制御ユニット１１に接続され且つヒートポンプ式熱源機３を制御する補助制御ユニット２４と、これらを収納する外装ケース２５等を備えている。
【００２５】
圧縮機２０は、気相状態の冷媒を断熱圧縮して温度上昇させる公知の密閉型圧縮機である。尚、本発明に係る圧縮機用の電源線接続構造３０については後述する。
【００２６】
外気熱吸収用熱交換器１８は、配管２３に含まれる蒸発器通路部１８ａを有し、この蒸発器通路部１８ａは複数のフィンを有し、この外気熱吸収用熱交換器１８において、蒸発器通路部１８ａを流れる冷媒と外気との間で熱交換され、冷媒は外気から吸熱して気化する。
【００２７】
湯水加熱用熱交換器２１は、熱交換器通路部２１ａと配管２３の一部となる内部通路２１ｂとを有する二重管で構成されている。この湯水加熱用熱交換器２１において、内部通路２１ｂを流れる冷媒と循環用配管９ａから熱交換器通路部２１ａに供給される湯水との間で熱交換され、湯水は加熱され冷媒は冷却され液化する。
【００２８】
膨張弁２２は液相状態の冷媒を断熱膨張させ温度低下させる。この膨張弁２２は絞り量が可変な制御弁からなる。尚、膨張弁２２の代わりに絞り量が一定の膨張弁を採用しても良い。
【００２９】
ヒートポンプ式熱源機３において、圧縮機２０により高圧に圧縮された加熱状態の冷媒は、湯水加熱用熱交換器２１に送られ、液送ポンプ１６の駆動により貯湯タンク５の下端部から循環用配管９ａを経て熱交換器通路部２１ａに流入した水と熱交換してその水を暖め、加熱された湯水が循環用配管９ｂを通って貯湯タンクユニット２の貯湯タンク５に貯留され、ヒートポンプ式熱源機３を経由する加熱動作を繰り返すことで貯湯タンク５に高温の湯水が貯留される。
【００３０】
主制御ユニット１１は、ユーザーが操作可能な操作リモコン１２との間でデータ通信可能であり、操作リモコン１２のスイッチ操作により目標給湯温度が設定されると、その目標給湯温度データが操作リモコン１２から主制御ユニット１１に送信される。
【００３１】
補助制御ユニット２４は、主制御ユニット１１との間でデータ通信可能であり、主制御ユニット１１からの指令に従ってヒートポンプ式熱源機３の各種機器（送風モータ１９ａ、圧縮機２０等）の駆動制御を行う。
【００３２】
次に、本発明に係る圧縮機用の電源線接続構造３０について説明する。
図２〜図５に示すように、圧縮機用の電源線接続構造３０は、冷媒回路１０に用いられる圧縮機２０の電源端子３１に電源回路から延びる電源線３２を接続する為の構造であり、圧縮機２０に電源を供給する為の電源線３２、この電源線３２の端部に設けられた接続端子３３、設定温度を超えた場合に電源線３２から接続端子３３への電源の供給を遮断する温度スイッチ３４等を備えている。
【００３３】
次に、電源端子３１について説明する。
図２に示すように、電源端子３１は、圧縮機２０の三相モータ駆動用の３端子３１ａ〜３１ｃで構成されている。これら３端子３１ａ〜３１ｃは、圧縮機２０の上端部に設けられた電源ターミナル部２０ａに周方向に等間隔に設置されている。各端子３１ａ〜３１ｃは、電源ターミナル部２０ａから上方に突出するピン部３６と、このピン部３６に固定された板部３７とから一体的に夫々構成されている。各端子３１ａ〜３１ｃは、所謂ファストン端子の雄型形状に構成されている。
【００３４】
各端子３１ａ〜３１ｃのピン部３６は、圧縮機２０の内部に設けられた３つの内部端子（図示略）に夫々接続され、これら内部端子は、圧縮機２０の内部に設けられた三相モータの３端子（図示略）に夫々接続されている。各端子３１ａ〜３１ｃの板部３７の下端部には、接続端子３３を挿入した場合に下方への移動を規制する１対の規制部３７ａが夫々形成されている。各端子３１ａ〜３１ｃは、ピン部３６を軸として電源ターミナル部２０ａに対して回転自在に夫々設けられている。
【００３５】
次に、電源線３２について説明する。
図２〜図５に示すように、電源線３２は、圧縮機２０の三相モータに対応する３本のケーブル３２ａ〜３２ｃで構成されている。各ケーブル３２ａ〜３２ｃは、内部導体３８、この内部導体３８を覆う絶縁層や保護被膜３９等からなる一般的な構造のものである。３本のケーブル３２ａ〜３２ｃの一端部には、接続端子３３の３端子３３ａ〜３３ｃが夫々設けられている。３本のケーブル３２ａ〜３２ｃの接続端子３３とは反対側の端部は、補助制御ユニット２４の電源回路に接続されている。
【００３６】
次に、接続端子３３について説明する。
図３〜図５に示すように、接続端子３３は、電源端子３１の３端子３１ａ〜３１ｃに対応する３端子３３ａ〜３３ｃで構成されている。これら３端子３３ａ〜３３ｃは、偏平なスリーブ形状に夫々形成されている。即ち、各端子３３ａ〜３３ｃは、平坦部４１と、この平坦部４１の両端部を内側に向って湾曲状に折り曲げて形成された２つの湾曲側壁部４２と、平坦部４１に形成された２つの開口部４３とを夫々有し、電源端子３１の３端子３１ａ〜３１ｃに接続可能に夫々構成されている。各端子３３ａ〜３３ｃは、所謂ファストン端子の雌型形状に構成されている。
【００３７】
接続端子３３の３端子３３ａ〜３３ｃを電源端子３１の３端子３１ａ〜３１ｃに接続する場合、接続端子３３の各端子３３ａ〜３３ｃの平坦部４１を、電源端子３１の対応する端子３１ａ〜３１ｃの板部３７にピン部３６が湾曲側壁部４２間に位置するように夫々挿入すると、板部３７の板厚により２つの湾曲側壁部４２が僅かに弾性変形して板部３７を平坦部４１に圧着して、板部３７と平坦部４１とが電気的に接続され、接続端子３３から延びる３本のケーブル３２ａ〜３２ｃと電源端子３１の３端子３１ａ〜３１ｃとが電気的に接続される。
【００３８】
次に、温度スイッチ３４について説明する。
図２〜図５に示すように、温度スイッチ３４は、接続端子３３の３端子３３ａ〜３３ｃのうちの２つの端子３３ａ，３３ｂと一体的に構成されている。即ち、電源線接続構造３０は、設定温度を超えた場合に接続端子３３の３端子３３ａ〜３３ｃのうちの２つの端子３３ａ，３３ｂが温度スイッチ３４によって通電が遮断されるように構成されている。温度スイッチ３４は、所謂サーマルプロテクタやハイリミットスイッチを構成するものである。
【００３９】
図３〜図５に示すように、温度スイッチ３４は、合成樹脂製の箱状のケース部材４５と、このケース部材４５の内部の一端部に夫々設けられ且つ可動接点４６ａを夫々有する１対の可動電極４６と、ケース部材４５の内部の他端部に夫々設けられ且つ固定接点４７ａを夫々有する１対の固定電極４７と、１対の可動電極４６を電源遮断側に切り換え可能な電極切換部４８とから構成されている。
【００４０】
１対の可動電極４６は、バネ性を有する金属製の薄板で夫々構成され、その可動端子４６ａは設定温度を超えていない場合、１対の固定電極４７の固定端子４７ａに夫々当接されている（図４参照）。１対の可動電極４６は、接続端子３３の２つの端子３３ａ，３３ｂの平坦部４１に電気的に夫々接続されている。
【００４１】
１対の固定電極４７は、金属製の薄板で夫々構成されている。１対の固定電極４７は、１対の圧着端子部５１ａ，５１ｂに電気的に接続されている。１対の圧着端子部５１ａ，５１ｂには、ケーブル３２ａ，３２ｂの端部の内部導体３８が夫々挿入されて圧着固定されることで、ケーブル３２ａ，３２ｂと電気的に接続されている。
【００４２】
尚、接続端子３３の残りの１端子３３ｃにおいても同様に、この１端子３３ｃの端部に平坦部４１に連なる圧着端子部５１ｃが設けられ、この圧着端子部５１ｃにケーブル３２ｃの端部の内部導体３８が挿入されて圧着固定されることで、この１端子３３ｃとケーブル３２ｃとが電気的に接続されている（図２参照）。
【００４３】
図３〜図５に示すように、電極切換部４８は、平面視にてＴ字状に構成されている。即ち、電極切換部４８は、ケース部材４５の内部の一端部において１対の可動電極４６の間に設けられた矩形板状の熱反動素子４８ａと、この熱反動素子４８ａの端部に固定され且つ可動電極４６と固定電極４７の間に延びる細長い板状の絶縁体４８ｂとを備えている。熱反動素子４８ａは、設定温度を超えるとスナップ作動するように所謂バイメタルから構成されている。尚、熱反動素子４８ａは、ケース部材４５の内部に収納されているが、ケース部材４５の外部に延びる延長部分を設けて、この延長部分を圧縮機２０の外周部に当接させても良い。
【００４４】
温度スイッチ３４の内部の温度が設定温度を超えた場合、電極切換部４８の熱反動素子４８ａがスナップ作動して、この熱反動素子４８ａに連なる絶縁体４８ｂが、１対の可動電極４６を可動接点４６ａが固定接点４７ａから離脱する方向に移動させることで、電源線３２のケーブル３２ａ，３２ｂから接続端子３３の２端子３３ａ，３３ｂへの電源供給を遮断する（図５参照）。尚、設定温度は、圧縮機２０の動作限界温度より僅かに低い温度に設定されるのが望ましい。
【００４５】
次に、本発明の圧縮機用の電源線接続構造３０の作用及び効果について説明する。
先ずは、ヒートポンプ式熱源機３の圧縮機２０を運転可能状態に設定する為に、図２に示すように、補助制御ユニット２４の電源回路から電源線３２を構成する３本のケーブル３２ａ〜３２ｃを圧縮機２０の上側に延ばし、３本のケーブル３２ａ〜３２ｃの端部に設けられている接続端子３３の３端子３３ａ〜３３ｃを、圧縮機２０の電源ターミナル部２０ａにある電源端子３１の３端子３１ａ〜３１ｃに夫々接続する。
【００４６】
ところで、ヒートポンプ式熱源機３の冷媒回路１０において、圧縮機２０により冷媒が圧縮されて外気熱吸収用熱交換器１８に送られ、この送られた圧縮冷媒は、熱交換する際に送風ファン１９の駆動により外装ケース２５内にて取り込まれた外気に放熱するので、外装ケース２５内は常に高温になり易い環境下にある。また、圧縮機２０自体も、冷媒を圧縮する際に高温になり易い構造である。
【００４７】
ここで、圧縮機２０の温度は、電源端子３１の２端子３１ａ，３１ｂと接続端子３３の２端子３３ａ，３３ｂを介して温度スイッチ３４に常に伝熱されているので、圧縮機２０が何らかの原因で温度が異常に上昇して、それに伴い温度スイッチ３４の内部温度が設定温度を超えた場合、温度スイッチ３４が作動して、図４に示す状態から図５に示す状態に切り換わり、電源線３２のケーブル３２ａ，３２ｂから接続端子３３の２端子３３ａ，３３ｂへの電源供給が遮断される。
【００４８】
以上の説明によれば、圧縮機用の電源線接続構造３０は、電源線３２の端部に設けられた接続端子３３であって、電源端子３１に接続可能な接続端子３３を備え、接続端子３３の３端子３３ａ〜３３ｃのうちの２端子３３ａ，３３ｂは、設定温度を超えた場合に電源線３２から接続端子３３の２端子３３ａ，３３ｂへの通電を遮断する温度スイッチ３４と一体的に構成されているので、圧縮機２０の温度が異常に上昇した場合、この異常に上昇した温度が、接続端子３３の２端子３３ａ，３３ｂを介して温度スイッチ３４に確実に伝熱されて温度スイッチ３４が作動することで、電源線３２のケーブル３２ａ，３２ｂから２端子３３ａ，３３ｂへの通電を遮断することができ、故に、圧縮機２０の温度が異常に上昇した場合には圧縮機２０の運転を確実に停止することができる。
【００４９】
従って、電源線３２の端部の接続端子３３を電源端子３１に接続するだけで、圧縮機２０に温度スイッチ３４を容易に取り付けることができ、また、接続端子３１に一体的に温度スイッチ３４を設けることで、圧縮機２０の異常な温度上昇を確実に検知することができる。温度スイッチ３４を圧縮機２０の外周部に取り付ける作業を必要としないので、従来と比較して圧縮機２０の組み付け作業の工数が減少する上、圧縮機２０に温度スイッチ３４専用の取付座を設ける必要がないので、低コスト化を図ることができると共に小型な圧縮機２０にも対応することができる。
【００５０】
また、電源端子３１は三相モータ駆動用の３端子３１ａ〜３１ｃで構成されると共に、接続端子３３は電源端子３１に対応する３端子３３ａ〜３３ｃで構成され、接続端子３３の３端子３３ａ〜３３ｃのうちの少なくとも２つの端子３３ａ，３３ｂが温度スイッチ３４によって通電が遮断されるように構成されたので、圧縮機２０の温度が異常に上昇した場合には、電源端子３１の３端子３１ａ〜３１ｃのうちの２端子３１ａ，３１ｂへの電源供給が遮断され、故に、圧縮機２０の三相モータを確実に停止することができる。
【００５１】
さらに、接続端子３３の３端子３３ａ〜３３ｃのうちの少なくとも２つの端子３３ａ，３３ｂと温度スイッチ３４とが一体的に構成されているので、２つの端子３３ａ，３３ｂを一度の取付作業で対応する電源端子３１の３端子３１ａ，３１ｂのうちの２つの端子３１ａ，３１ｂに容易に取り付けることができる。
【００５２】
尚、本実施例の電源線接続構造３０において、接続端子３３の３端子３３ａ〜３３ｃのうちの２端子３３ａ，３３ｂが温度スイッチ３４と一体的に構成されていると説明しているが、特に２端子３３ａ，３３ｂに限定する必要はなく、３端子３３ａ〜３３ｃの全てが温度スイッチ３４によって通電が遮断されるように温度スイッチ３４と一体的に構成されても良い。
【実施例２】
【００５３】
次に、実施例１の圧縮機２０の電源線接続構造３０を部分的に変更した実施例２について説明する。尚、実施例１では、接続端子３３の３端子３３ａ〜３３ｃのうちの２つの端子３３ａ，３３ｂが、１つの温度スイッチ３４と一体的に構成されているが、実施例２では、接続端子３３の３端子３３ａ〜３３ｃのうちの２つの端子３３ａ，３３ｂが独立して温度スイッチ３４Ａと一体的に構成されている
【００５４】
図６〜図８に示すように、接続端子３３の１端子３３ａは、設定温度を超えた場合に電源線３２のケーブル３２ａからこの１端子３３ａへの通電を遮断する温度スイッチ３４Ａと一体的に構成されている。尚、接続端子３３の１端子３３ｂも同様に、設定温度を超えた場合に電源線３２のケーブル３２ｂからこの１端子３３ｂへの通電を遮断する温度スイッチ３４Ａと一体的に構成されている。２つの温度スイッチ３４Ａは同じ構成のものであるので、以下では、１端子３３ａに設けられた温度スイッチ３４Ａについてのみ説明する。
【００５５】
温度スイッチ３４Ａは、合成樹脂製の箱状のケース部材５５と、このケース部材５５の一端部に設けられ且つ可動接点５６ａを有する可動電極５６と、ケース部材５５の他端部に設けられ且つ固定接点５７ａを有する固定電極５７と、この可動電極５６を保持する可動電極保持部５８とから構成されている。
【００５６】
可動電極５６は、設定温度を超えるとスナップ作動する所謂バイメタルからなる薄板状の熱反動素子で形成され、可動電極５６の可動端子５６ａは、設定温度を超えていない場合、固定電極５７の固定端子５７ａに当接されている（図７参照）。可動電極５６は、可動電極保持部５８を介して接続端子３３の端子３３ａの平坦部４１に電気的に接続されている。
【００５７】
固定電極５７は、金属製の薄板で構成されている。固定電極５７は、圧着端子部５１ａに電気的に接続されている。固定電極５７に連なる圧着端子部５１ａには、ケーブル３２ａの端部の内部導体３８が挿入されて圧着固定されている。また、１端子３２ｂに設けられた温度スイッチ３４Ａの固定電極５７に連なる圧着端子部５１ｂには、ケーブル３２ｂの端部の内部導体３８が挿入されて圧着固定されている。
【００５８】
尚、接続端子３３の残りの１端子３３ｃの端部にも同様に、平坦部４１に連なる圧着端子部５１ｃが設けられ、この圧着端子部５１ｃにケーブル３２ｃの端部の内部導体３８が挿入されて圧着固定されている。
【００５９】
圧縮機２０の温度は、電源端子３１の端子３１ａ（３１ｂ）と接続端子３３の端子３３ａ（３３ｂ）と可動電極保持部５８を介して可動電極５６に常に伝熱されている。圧縮器２０の温度の異常な上昇に伴い、可動電極５６の温度が設定温度を超えた場合、可動電極５６がスナップ作動して、可動接点５６ａが固定接点５７ａから離脱して接続端子３３の端子３３ａ（３３ｂ）への電源供給を遮断する（図８参照）。その他の構成、作用及び効果については、前記実施例１と同様であるので、詳細な説明は省略する。
【００６０】
尚、本実施例の電源線接続構造３０において、接続端子３３の３端子３３ａ〜３３ｃのうちの２端子３３ａ，３３ｂが独立して温度スイッチ３４Ａと一体的に構成されていると説明しているが、特に２端子３３ａに限定する必要はなく、３端子３３ａ〜３３ｃの全てが独立して温度スイッチ３４Ａと一体的に構成されても良い。
【００６１】
次に、前記実施例を部分的に変更した形態について説明する。
［１］前記実施例１，２では、前記接続端子３３は、ファストン端子の雄型形状に構成され、前記電源端子３１は、ファストン端子の雌型形状に構成されているが、特にファストン端子の形状に限定する必要はなく、接続端子３３と電源端子３１は、電気的に接続可能であれば、種々の構造のものを適宜適用可能である。
【００６２】
［２］前記実施例１，２では、前記温度スイッチ３４，３４Ａの構造は、ほんの１例を示したに過ぎず、所謂サーマルプロテクタやハイリミットスイッチを構成するものであれば、種々の構造のものを適宜適用可能である。
【００６３】
［３］前記実施例１，２において、圧縮器用の電源線接続構造３０は、ヒートポンプ式熱源機３の冷媒回路１０に用いられる圧縮機２０に適用したものについて説明したが、特に冷媒回路１０に用いられものに限定する必要はなく、冷媒回路１０以外の他のものに用いられる圧縮機に対して本発明の電源線接続構造３０を適用しても良い。
【００６４】
［４］その他、当業者であれば、本発明の趣旨を逸脱することなく、前記実施例に種々の変更を付加した形態で実施可能であり、本発明はそのような変更形態を包含するものである。
【符号の説明】
【００６５】
１０  冷媒回路
２０  圧縮機
３０  電源線接続構造
３１  電源端子
３２  電源線
３３  接続端子
３４，３４Ａ  温度スイッチ
【図１】
2014107209.tif 000003
【図２】
2014107209.tif 000004
【図３】
2014107209.tif 000005
【図４】
2014107209.tif 000006
【図５】
2014107209.tif 000007
【図６】
2014107209.tif 000008
【図７】
2014107209.tif 000009
【図８】
2014107209.tif 000010